(57)【要約】【課題】既存製品より開閉がスムーズであり、更に堅固であり、コストが更に低い三段シンクロ引出レールを提供する。【解決手段】固定レール、ミドルレール、移動レール及び緩衝装置を含み、固定レールが引出戸棚の内壁で固定して、固定レールとミドルレールの間に第一リテーナがあって、ミドルレールと移動レールの間に第二リテーナがある三段シンクロ引出レールであり、第一リテーナに柱列があって、移動レールにラックがあって、柱列は形が同じ且つ間隔が同じ複数のドライブ柱を直線に沿って並べてなり、ミドルレールにフライホイールがあって、柱列がラックと平行に対向して、且つ全部フライホイールと接触することを特徴とする。【選択図】図４
0003154757.tif 000002
【実用新案登録請求の範囲】
【請求項１】
固定レール（１）、ミドルレール（２）、移動レール（３）及び緩衝装置を含み；固定レール（１）が引出戸棚の内壁で固定され、固定レール（１）とミドルレール（２）の間に第一リテーナ（４）があって、ミドルレール（２）と移動レール（３）の間に第二リテーナ（５）がある三段シンクロ引出レールであり；前記第一リテーナ（４）に柱列（６）があって、前記移動レール（３）にラック（７）があって、柱列（６）は形が同じ且つ間隔が同じ複数のドライブ柱（８）を直線に沿って並べてなり；前記ミドルレール（２）にフライホイール（９）があって、柱列（６）がラック（７）と平行に対向して、且つ全部フライホイール（９）と接触することを特徴とする三段シンクロ引出レール。
【請求項２】
前記ミドルレール（２）の底面にフライホイール軸（１０）があって、前記フライホイール（９）がフライホイール軸（１０）に取り付けられていることを特徴とする請求項１に記載の三段シンクロ引出レール。
【請求項３】
前記ドライブ柱（８）に所定の断面輪郭線があり、この輪郭線が円、インボリュート、円弧線或いは直線を含むことを特徴とする請求項１に記載の三段シンクロ引出レール。
【考案の詳細な説明】
【技術分野】
【０００１】
本考案は家具分野に関し、特に引出をスムーズに開閉できる三段引出レールに関する。
【背景技術】
【０００２】
通常の引出レールは移動レール、ミドルレール、固定レール或いは移動レール、ミドルレール、固定レール三段に分けて、移動レールとミドルレール、ミドルレールと固定レールの間に全ローラー或いはボールベアリングがあって、ローラーとボールベアリングがリテーナによって保持されて、スライドレールの間に転がり摩擦があるので、引出を容易に開閉できる。三段引きスライドレールを使用する場合に、部品の精度と組立の手段に相違があって、レールとレールの間の転がり摩擦力が平均せず、スライドレールの間の開閉順序が不確定であるため、引出の左右両側の引き抵抗力が不一致になって、手触りに影響するという不具合を発見した。この点について改善しなければならない。
【０００３】
手触りを改善するため、三段シンクロ引出レールが市販されている。三段シンクロ引出レールは、移動レールにプラスチック製歯列が１本取り付けられて、固定レールとミドルレールの間に位置するプラスチック製リテーナにも歯列を１本製造しておいて、２本の歯列は形が同じ且つ間隔が同じ複数のドライブ柱を直線に沿って並べてなるもので、ミドルレールにプラスチック製のフライホイールが１本取り付けられて、２本の柱列は平行に対向して、且つ全部フライホイールと接触するので、三段レールシンクロ開閉のフライホイール／柱列構造が形成されて、引出の両側に取り付けた２セット三段レールを運動する時に同時に伸び縮みさせて、引出を開閉する時の手触りを大いに改善した。しかし、量産の生産過程において、移動レールに取り付けられたプラスチック製の歯列の制作技術がより複雑で、且つ緊密に移動レールに取り付けることが簡単ではない。そのため改善を行わなければならない。
【考案の概要】
【考案が解決しようとする課題】
【０００４】
本考案は、既存製品より開閉がスムーズであり、更に堅固であり、コストが更に低い三段シンクロ引出レールを提供することを目的とする。
【課題を解決するための手段】
【０００５】
本考案の三段シンクロ引出レールは、固定レール、ミドルレール、移動レール及び緩衝装置を含み；固定レールが引出戸棚の内壁で固定され、固定レールとミドルレールの間に第一リテーナがあって、ミドルレールと移動レールの間に第二リテーナがある三段シンクロ引出レールであり；第一リテーナに柱列があって、移動レールにラックがあって、柱列は形が同じ且つ間隔が同じ多数のドライブ柱が直線に沿って並べてなり；ミドルレールにフライホイールがあって、柱列がラックと平行に対向して、且つ全部フライホイールと接触することを特徴とする。
【０００６】
本考案のさらなる改善として、ミドルレールの底面にフライホイール軸があって、フライホイールがフライホイール軸に取り付けられている。
【考案の効果】
【０００７】
本考案は、三段レールがシンクロ開閉できるラック/フライホイール/柱列構造を提供して、引出の両側に取り付けた２セット三段レールが運動する時に同時に伸び縮みを保証して、引出を開閉する時の手触りを大いに改善した。本考案は構造が簡単で、取り付けと取り外しが非常に簡単で、すべての家具に取り付けて使用することができる。
【図面の簡単な説明】
【０００８】
【図１】本考案の実施形態１の外観図である。
【図２】図１で固定レールを取り外した外観図である。
【図３】図１の部品分解図である。
【図４】実施形態１で第一リテーナにおけるローラー及び第二リテーナにおけるローラーを取り外した断面図である。
【図５】実施形態１におけるフライホイールとフライホイール軸の外観図である。
【図６】実施形態１におけるラックの外観図である。
【図７】実施形態１における第一リテーナの外観図である。
【図８】実施形態１の移動レールが閉める状態の各素子位置関係の説明図である。
【図９】実施形態１の移動レールが開ける状態の各素子位置関係の説明図である。
【図１０】実施形態２で第一リテーナにおけるローラー及び第二リテーナにおけるローラーを取り外した断面図である。
【考案を実施するための形態】
【０００９】
以下、図面に基づいて本考案をさらに詳細に説明する。
【００１０】
本考案の技術的特徴を簡単に説明するために、図１〜図３と図８及び図９はすべて製品の安置姿勢を傾けてあり、図1のＤが指した部位は製品の底部であり、製品を実際的に使用する場合、この部位を下に向けるのである。
【００１１】
図１〜図７に示すように、実施形態１は従来製品の固定レール１、ミドルレール２、移動レール３、第一リテーナ４、第二リテーナ５及び緩衝装置などを有する。固定レール１、ミドルレール２、移動レール３がすべて板金プレス加工品である。第一リテーナ４と第二リテーナ５はプラスチックで製造され、第一リテーナ４が固定レール１とミドルレール２の間に位置して、第二リテーナ５がミドルレール２と移動レール３の間に位置して、各リテーナのローラー（図示せず）が同時に固定レール１とミドルレール２あるいはミドルレール２と移動レール３と接触して、固定レール、ミドルレール、移動レールが一緒に転がる組み合わせにする。第一リテーナ４のへりに柱列６をダイカストして（図７参照）、柱列６は間隔の同じ４８本ドライブ柱８を直線に沿って並べてなる。移動レール３の底部の曲がり面に鋼板で曲がり製造されたラック７は溶接されて、ラック７の横断面がｎ形に呈して、その片側に５６本歯（図６参照）が製造される。ミドルレール２の底部の曲がり面の中央部に曲がり面と垂直するフライホイール軸１０はリベット締めされて、フライホイール軸１０にプラスチック製のフライホイール９（図５参照）が取り付けられ、フライホイール９がフライホイール軸１０に回転自在とすることができる。第一リテーナ４における柱列６は移動レール３におけるラック７と平行に対向して、且つ全部フライホイール９と接触して、フライホイール９が調整歯を１２本有して、調整歯毎に柱列６の２つのドライブ柱８の間とラック７の２つの歯の間に挿入して、且つドライブ柱及び歯と接触する。ドライブ柱及び歯とフライホイールとの接触はスプロケット／チェーンが伝動する場合スプロケットとチェーンのかみ合いと同様である。ミドルレール２の両端にそれぞれスペーシング突起（図示せず）があるとともに、固定レール１と移動レール３の両端にもスペーシング突起（図示せず）があって、それらは第一リテーナ４と第二リテーナ５が固定レール１、ミドルレール２或いは移動レール３から滑脱しないように制限する。
【００１２】
製品の目的次第では、柱列に位置するドライブ柱８は異なった好ましい各種外形を有してもよく、ドライブ柱８は所定の断面輪郭線を有して、この輪郭線が円、インボリュート、円弧線或いは直線を含んでもよい。同一製品において、すべてのドライブ柱８の断面輪郭線は同じである。異なる形のドライブ柱に対応して、フライホイール９の歯形及びラック７の歯形も相応する各種の形がある。
【００１３】
緩衝装置はダンパー本体１１と調整針１２を含んで、ダンパー本体１１が固定レール１の内側に固定され、調整針１２が移動レール３のへりに溶接される。移動レール３が引出に従って戻る時に、緩衝装置の作動が始まり、引出がゆっくり且つ緊密に閉じられる。
【００１４】
図８と図９に示すように、柱列６、フライホイール９及びラック７による保持作用で、第一リテーナ４と移動レール３がミドルレール２の運動と対応して互いに逆方向に定速度で運動して、次に固定レール1と移動レール３もミドルレール２の運動と対応して基本的に互いに逆方向に定速度で運動する。そのため、引出両側に取り付けられた２セット三段スライドレールが同時に運動して、引出の開閉する過程で左右両側の摩擦力が基本的に一致して、スムーズに開閉できる感覚（hand feeling）を大いに改善した。
【００１５】
本考案のラック７は形が簡単で、薄鋼板で製造（punch forming）することができて、また溶接方法でしっかりと移動レールに固定することができて、加工と組み立ての技術が簡単で、且つコストが安く、堅固である。
【００１６】
図１０に示すように、実施形態２と実施形態１の違いは固定レール１の曲がり方向の異なったところであり、第一リテーナ４、ミドルレール２、第二リテーナ５及び移動レール３の断面の形がすべてそれぞれ実施形態１の鏡像である。そして、フライホイール９、フライホイール軸１０、柱列６、ラック７はすべて固定レール１の内側に移される。フライホイール９、フライホイール軸１０、柱列６、ラック７がすべて固定レール１によって包囲・保護される。それぞれの部品の形は実施形態１とある程度異なるけれども、それらの機能は同じである。
【符号の説明】
【００１７】
１    固定レール
２    ミドルレール
３    移動レール
４    第一リテーナ
５    第二リテーナ
６    柱列
７    ラック
８    ドライブ柱
９    フライホイール
１０  フライホイール軸
１１  ダンパー本体
１２  調整針
【図４】
0003154757.tif 000003
【図５】
0003154757.tif 000004
【図６】
0003154757.tif 000005
【図７】
0003154757.tif 000006
【図１０】
0003154757.tif 000007
【図１】
0003154757.tif 000008
【図２】
0003154757.tif 000009
【図３】
0003154757.tif 000010
【図８】
0003154757.tif 000011
【図９】
0003154757.tif 000012